(57)【要約】【課題】店頭での販売時にミニカーなどを収納するパッケージであって、購入後に展示する際にも利用できるパッケージを提供することである。さらに、別の目的は、購入後、飾るときには、その並べ方を自由に選べるようなパッケージを提供することである。【解決手段】収納部１と、その収納部に合わせる合わせ部２とを折り曲げ部３を介して一体的に成形してなり、中身を透視できる樹脂製のパッケージ本体を備えたパッケージＰにおいて、上記収納部と合わせ部との周辺の所定個所に顎部５、７を備えるとともに、この顎部を着脱可能な連結手段とし、この連結手段を用いて他のパッケージと連結可能にした。【選択図】　図１
2004051210.tif 000002
【特許請求の範囲】
【請求項１】
収納部と、その収納部に合わせる合わせ部とを折り曲げ部を介して一体的に成形してなり、中身を透視できる樹脂製のパッケージ本体を備えたパッケージにおいて、上記収納部と合わせ部との周辺の所定個所に顎部を備えるとともに、この顎部を着脱可能な連結手段とし、この連結手段を用いて他のパッケージと連結可能にしたパッケージ。
【請求項２】
折り曲げ部に、パッケージ本体に収納する自動車玩具のボディ底面を載せ置くための支持突部を設け、パッケージ本体の底面からの上記支持突部の高さを、上記車玩具の上記ボディ底面からタイヤの接地面までの距離よりも大きくした請求項１に記載のパッケージ。
【発明の詳細な説明】
【０００１】
【発明の属する技術分野】
この発明は、おもちゃなどを収納し、販売時に店頭に陳列したり、購入後に飾っておく際に利用するパッケージに関する。
【０００２】
【従来の技術】
ミニカーは、店頭で、紙製のパッケージに収納して陳列されていることが多い。そして、この紙製のパッケージに入っている商品がわかるように、上記紙製のパッケージ表面に、中に入っているミニカーが描かれていたり、ときには、部分的に内部を覗くことができるように、透明のシートを貼った窓を形成していることもある。
一方、ミニカーなどは、購入後、それを用いて遊ぶだけでなく、眺めて楽しむことがある。特に、ミニカーを多数集めているマニアの場合には、購入したミニカーをできるだけ新品状態のままで保管し、それを眺めて楽しむことが多い。
【０００３】
このようなマニアにとっては、購入したミニカーを上記のような紙製のパッケージに入れておいたのでは、せっかく集めた商品の全体が見えないので楽しみが半減してしまう。かといって、購入したミニカーをパッケージから出して、裸のままその辺に並べておいたのでは、汚れてしまう心配があるので、そのようなことはしたくない。
【０００４】
そこで、中のミニカーが外部から見えて、しかも汚れないための専用のケースも考えられていた。例えば、六面が透明なプラスチック製で、ケース本体と蓋とからなる直方体のものがあった。このケースは、ケース１個にミニカー１台が入る大きさで、さらに、ミニカーを入れたケースを複数整列させるための専用の飾り棚もあった。つまり、小型の本棚のようなものに、ミニカーを入れた透明ケースを並べておくのである。
【０００５】
【発明が解決しようとする課題】
上記のようなプラスチックケースは、ミニカー１台毎に、１個購入しなければならない。また、複数のケースを見た目よく並べておくためには、ケースだけでなく、専用の飾り棚などを用意しなければならない。マニアにとっては、ミニカー本体以外に、保管したり、飾っておいたりするためのケースや棚を購入しなければならないため、出費がかさむという問題があった。
【０００６】
さらに、上記飾り棚を用いた場合、その大きさや形状が限られているため、上記プラスチックケースの並べ方が固定化されてしまう。例えば、４段で、各段５個並べることができる２０個用の棚というように、棚によってケースの並べ方が決まってしまう。もしも、２０個を２個ずつ１０段に高く並べたいとか、低く横に並べたいと思ってもそれに対応する棚はない。棚を利用しないで、ケースを平面的にバラバラに並べたのでは、見た目が良くないし、単に積み重ねても、上のケースが落ちてしまうことがあるので高く積み上げることはできない。結局、棚を利用して、棚に合った並べ方をするしかなく、展示が面白みに欠けるという問題があった。
【０００７】
この発明の目的は、店頭での販売時にミニカーなどを収納するパッケージであって、購入後に展示する際にも利用できるパッケージを提供することである。さらに、別の目的は、購入後、飾るときには、その並べ方を自由に選べるようなパッケージを提供することである。
【０００８】
【課題を解決するための手段】
第１の発明は、収納部と、その収納部に合わせる合わせ部とを折り曲げ部を介して一体的に成形してなり、中身を透視できる樹脂製のパッケージ本体を備えたパッケージにおいて、上記収納部と合わせ部との周辺の所定個所に顎部を備えるとともに、この顎部を着脱可能な連結手段とし、この連結手段を用いて他のパッケージと連結可能にした点に特徴を有する。
第２の発明は、折り曲げ部に、パッケージ本体に収納する自動車玩具のボディ底面を載せ置くための支持突部を設け、パッケージ本体の底面からの上記支持突部の高さを、上記車玩具の上記ボディ底面からタイヤの接地面までの距離よりも大きくした点に特徴を有する。
【０００９】
【発明の実施の形態】
図１〜図６に、この発明の第１実施例を示す。
図１は、第１実施例のパッケージＰを開けた状態で、図２はこのパッケージＰを組み立てたときの外観図でである。そして、パッケージＰは、透明な樹脂製であるが、透明な場合、見える線が多すぎてわかりにくいので、ここでは、不透明な状態で図示している。
また、このパッケージＰは、透明な樹脂製シートを成形したものである。
【００１０】
図１に示すようにパッケージＰは、収納部１と、この収納部１に合わせる合わせ部２と、両者を連結する折り曲げ部３を備え、パッケージ本体を形成している。そして、上記折り曲げ部３は、谷折りの折り線Ｌ１を介して収納部１と連続し、はやり谷折りの折り線Ｌ２を介して合わせ部２と連続している。
収納部１は、その中央に、上記折り線Ｌ１の両脇よりも、紙面に対してわずかに上方に浮き上がった位置に、背面１ａを形成している。そして、この背面１ａを三方から囲むように、側面部１ｂと１ｄ、上面部１ｃを形成している。
【００１１】
上記側面部１ｂ、１ｄ、上面部１ｃは、実際には、シート部材が折り曲がって二重壁構造を形成しているが、図１、図２では、二重壁の外側に、符号を付け、二重壁の両面を一緒にして、側面部または上面部と呼ぶことにする。
また、上記側面部１ｂ、上面部１ｃ、側面部１ｄに沿って、実際に合わせ部２と合わさる開口凹部４を形成し、その中にさらに、ロック凹部４ａを形成している。
【００１２】
一方、合わせ部２は、上記背面側と同様に、折り線Ｌ２を形成している面よりも紙面に対して上方に正面２ａを形成し、その周囲を、二重壁の側面部２ｂ、２ｄと、上面部２ｃとで囲んでいる。さらに、これらの、側面部２ｂ、上面部２ｃ、側面部２ｄの周囲に沿って、開口突部６を形成し、その外側にロック突部６ａを形成している。
【００１３】
そして、合わせ部２を上記収納部１に合わせたときには、上記開口突部６が収納部側の開口凹部４にはまるとともに、開口凹部４のロック凹部４ａに開口突部６のロック突部６ａがぴったりはまって、開口を閉じるようにしている。
また、図１の紙面に沿った平面であって、収納部１の外周には、収納部側顎部５を備え、合わせ部２の外周には、合わせ部側顎部７を備えている。収納部側顎部５には、側面部１ｂ、１ｄにそれぞれ沿った線状突部５ａと５ｃ、上面部１ｃに沿った突部５ｂとを形成している。さらに、上記上面部１ｃに沿った突部５ｂの上には、孔５ｄを形成している。
【００１４】
なお、上記収納部側顎部５および合わせ部側顎部７は、それぞれ、折り曲げ部３側の角を斜めに切り取った形状をしている。また、合わせ部側顎部７は、上面側の両角も切り取っているが、このように、顎部の角は切り取らなくてもかまわない。ただし、角を切り取っておけば、後で説明するように、複数のパッケージＰを連結する際に、隣り合うパッケージＰの顎部同士が何重にもなるのを防止してパッケージ同士を連結し易くすることができる。
【００１５】
上記折り曲げ部３は、底面３ａとその両脇に二重壁の三角部３ｂと３ｃを形成している。この三角部３ｂ、３ｃは、パッケージ本体を組み立てたとき、その側面の一部を構成する。すなわち、収納部１の側面部１ｂと上記三角部３ｂと、合わせ部２の側面部２ｂとによって一方の側面を形成し、収納部１の側面部１ｄと、三角部３ｃと、合わせ部２の側面部２ｄとによって、他方の側面を形成する。なお、上面は、収納部側の上面部１ｃと、合わせ部側の上面部２ｃとで、構成する。
【００１６】
また、上記折り曲げ部３の底面３ａの中央には、パッケージ本体の内側に向かって、支持突部８が突出している。この支持突部８は、後で詳しく説明するが、このパッケージＰにミニカーなどの自動車玩具を収納する際に利用する部分であり、他の商品を収納する際には、必要が無い。
【００１７】
次に、パッケージＰの外観を、説明する。
図２に示すパッケージＰは、上記図１の状態を、両折り線Ｌ１、Ｌ２で谷折りにするとともに、合わせ部２の開口突部６を収納部１の開口凹部４にはめ合わせた状態である。このとき。開口突部６のロック突部６ａが、開口凹部４のロック凹部４ａにはまって、閉じた状態を維持するようにしている。
【００１８】
この図２では、図１では見えなかった方の面にも、符号を付けている。パッケージ本体が１枚のシート部材を成形したものなので、元のシート部材の図１における表面に対し、裏面には、「’」を付けた符号を用いることにする。例えば、図１で表面に表れているパッケージ本体の内部から見た正面２ａに対し、その裏面を正面２ａ’と表している。また、収納部側顎部５に形成された各突部５ａ〜５ｃは、その裏面では、それぞれに対応した凹部５ａ’〜５ｃ’となり、合わせ部側顎部７の突部７ａ〜７ｃは、裏面では、それぞれ凹部７ａ’〜７ｃ’となる。
【００１９】
そして、正面２ａ’は、折り線Ｌ２に対し、内側に入り込んでいる。言い換えれば、上記折り線Ｌ２に沿って正面２ａ’側に凹部が形成されることになる。同様に、背面１ａ’側でも、折り線Ｌ１に沿って凹部が形成される。
以上のようなパッケージＰは透明なので、図３に示すように、その中にミニカーＣなどを入れた場合、全ての面から中の商品を見ることができる。
このようなパッケージＰは、販売店では、中に商品を入れて、並べておくことができる。また、収納部側顎部５の上面側に形成した孔５ｄにつり下げバーを挿入すれば、パッケージＰをつり下げておくこともできる。
【００２０】
一方、このパッケージＰに入ったミニカーＣを購入したユーザーは、収納部１と合わせ部２とを両側に開いて、ミニカーＣを取り出すことができるのはもちろんであるが、元通りに収納することもできる。そして、このパッケージＰは、上記したように、全体が透明なので、どの面からも中身を見ることができ、上記ミニカーＣをコレクションとして飾る際にも、そのまま利用することができる。
【００２１】
さらに、このパッケージＰは、複数のパッケージＰを、図４に示すように連結することができる。
図４では、３個のパッケージＰ１〜Ｐ３を連結した状態を示しているが、各パッケージＰ１〜Ｐ３の構成は、全て、図１、図２に示すパッケージＰと同じなので、各パッケージの構造の説明は、省略する。また、各パッケージＰ１〜Ｐ３に関する説明には、図１、図２の符号を用いる。
【００２２】
次に、パッケージの連結方法を説明するが、初めに、パッケージＰ１の正面に対して向かって右側に、パッケージＰ２を連結する方法を説明する。
パッケージＰ１の収納部側顎部５のうち、向かって右側の線状突部５ａを、パッケージＰ２の収納部側顎部５のうち、左側の線状凹部５ｃ’に挿入する。また、パッケージＰ１の、合わせ部側顎部７の右側の線状突部７ａを、パッケージＰ２の、合わせ部側顎部７の左側の線状凹部７ｃ’に挿入する。
【００２３】
図５に、上記線状突部７ａを線状凹部７ｃ’に挿入して連結する方法を示しているが、この第１実施例では、パッケージＰ２の線状凹部７ｃ’の下端が開口しているので、この開口から、パッケージＰ１の線状突部７ａを挿入し、パッケージＰ１を上方にスライドさせて連結するようにしている。収納部側顎部５同士の連結も、同様に行う。
以上のようにして、複数のパッケージを横方向に、任意の数だけ連結することができる。
【００２４】
次に、パッケージＰ１の上に、パッケージＰ３を連結する方法を説明する。
パッケージＰ１の上面側の突部５ｂおよび７ｂを、パッケージＰ３の凹部にはめ合わせて連結する。具体的には、パッケージＰ１の突部７ｂをパッケージＰ３の正面２ａ’の下方の凹部にはめ込み、パッケージＰ１の突部５ｂをパッケージＰ３の背面１ａ’の下方の凹部にはめ込む。このようにして２個のパッケージを上下に連結することができる。同様にして、任意の個数だけ、縦方向にパッケージＰを連結することができる。
つまり、上記収納部側顎部５および合わせ部側顎部７が、この発明の連結手段にあたる。
【００２５】
以上のようにこの発明のパッケージＰは、横方向にも、上下方向にも、好きな数だけ連結することができる。従って、従来のように、飾り棚の形状に関係なく、購入者が自分の好きなようにパッケージＰを並べて飾ることができる。例えば、全体として四角形ではなく、階段状に積み重ねることもできるし、上下に一列に高く積み重ねることもできる。
また、最上段のパッケージＰの収納部側顎部５に形成した孔５ｄを利用して、壁にピン止めすることもできる。なお、上記収納部側顎部５の上面側の部分は、他の部分よりも大きくして、そこに孔５ｄを形成しているが、この孔５ｄは、必ずしも必要ではない。ただし、上記孔５ｄが有れば、上記のように、壁にピン止めしたり、販売店で、つり下げて陳列したりできる。
【００２６】
このように、購入者は、個々のパッケージＰを縦横に好きな個数だけ、連結して、自分の好きな形で、好きな大きさにして、飾ることができるようになる。
しかも、上記パッケージＰは、販売時に利用するものをそのまま、購入後の飾り用に利用できる。そのため、購入者は、従来のように商品を購入する他に、飾り用のケースを購入したり、そのケースを並べるための飾り棚を購入したりする必要がなく、出費を抑えることができる。
【００２７】
また、図６に示すように、上記パッケージＰの折り曲げ部３に形成された支持突部８は、このパッケージＰに収納するミニカーＣのボディ底面９を支持する突部である。そして、底面３ａからの支持突部８の高さをｈ１とし、ミニカーＣのボディ底面９からタイヤ１０の接地面までの距離をｈ２としたとき、高和ｈ１を距離ｈ２よりも大きくしている。
そこで、ミニカーＣを上記支持突部８に載せた状態では、タイヤ１０が、パッケージＰの底面３ａに接触しない。
【００２８】
タイヤ１０は、ゴム製なので、長時間樹脂製の底面３ａに接触していると、タイヤ１０のゴムから可塑剤が浸み出して、タイヤ１０が底面３ａに接着したり、変形したりしてしまう心配がある。実際に、従来例で説明したようなプラスチックケースでは、そのようなことが起こっていた。これに対し、上記第１実施例のパッケージＰでは、図６のようにタイヤ１０の接地面が底面３ａに接触しない状態でミニカーＣを収納しておくことができるため、長時間、ミニカーＣを収納しておいても、タイヤ１０が、接着したり、変形したりしてしまうようなことはない。
【００２９】
なお、上記第１実施例では、１つのパッケージを他のパッケージと連結するための連結手段として、突部または凹部を形成した顎部を用いている。特に、側面側の線状凹部は、下端を開口させていて、そこから線状突部をスライドさせて挿入するようにしているが、顎部に形成する突部や凹部の形状は、上記第１実施例のものに限らないし、凹部や突部を利用しない方法でも良い。
【００３０】
他の連結方法として、例えば、図７〜図１０のような方法が考えられる。ただし、これらの図は、連結方法を説明するための図で、実際の顎部の形状は、この図とは異なっていてもかまわない。
図７に示す第２実施例は、一方の顎部に長円形の凹部１１を形成し、他方の顎部に上記凹部１１にぴったりはまる長円形の突部１２を形成した例である。そして、上記凹部１１に突部１２をスナップのようにはめあわせて、パッケージＰ同士を連結することができる。
【００３１】
図８に示す第３実施例は、一方の顎部に挿入孔１３を形成し、他方の顎部に、この挿入孔１３に差し込むための、差し込み部１４を形成している。そして、上記差し込み部１４を上記挿入孔１３へ挿入して、パッケージＰ同士を連結する。また、図９に示す第４実施例も、挿入孔１５と差し込み部１６を備えた例であり、それぞれの形状が第３実施例とは異なる。
図１０に示す第５実施例は、一方の顎部に下端を解放したスリット１７を形成し、他方の顎部に上端を解放したスリット１８を形成している。両スリット１７，１８の解放端同士を合わせて、一方の顎部を他方の顎部に差し込むようにして、両者を連結する。
【００３２】
以上のように、隣り合うパッケージＰを連結する方法には、様々なものがある。上記した方法は、いずれも、顎部同士を連結することによってパッケージＰを連結する方法である。ただし、パッケージＰを連結する際には、両方のパッケージの顎部同士を連結しなくてもよい。
例えば、図４に示すパッケージＰ１とＰ３のように、上下に位置するパッケージ同士を連結する場合には、下のパッケージＰ１の顎部５，７が上のパッケージＰ３のパッケージ本体に連結されるのであって、顎部同士が連結するのではない。どちらにしても、上下、左右に連結されるパッケージ同士は、少なくとも、一方のパッケージの顎部を介して連結されるようにしている。
【００３３】
なお、この発明のパッケージＰは、連結手段としての顎部を備えているが、この顎部は、バキューム成形時、型抜き用の押さえ部としても利用できる。もちろん、この発明のパッケージＰの製造方法は、バキューム成形に限定する必要はない。ただし、バキューム成形法を用いた場合、他の製造方法よりも、コストを低くできる可能性が有る。
また、上記実施例では、図１に示すように、パッケージ本体を収納部１、合わせ部２、折り曲げ部３で構成し、各部分を折り線Ｌ１、Ｌ２を介して連続させているが、一方の折り線Ｌ１またはＬ２であらかじめ折り曲げた形状を固定化しておいてもかまわない。例えば、収納部１を折り線Ｌ１で折り曲げた状態で、折り曲げ部３の三角部３ｂ、３ｃを、収納部１と一体化した形状にしても良い。
【００３４】
さらに、収納部１と合わせ部２の形状も、図１，図２のものに限らず、例えば、収納部１側に側面や上面の全部を形成し、合わせ部２は、正面２ａ（２ａ’）からなる平面的な蓋として機能する形状にしてもよい。
なお、上記実際例では、ミニカー用に利用するパッケージの例を説明したが、この発明のパッケージに収納される商品は、ミニカーに限らない。購入者が、飾って楽しむような商品ならどのようなものにも利用できる。
【００３５】
【発明の効果】
第１、第２の発明によれば、販売時の陳列用パッケージを、そのまま、購入後に商品を飾るために利用できるようになる。そのため、飾り用の専用ケースが不用になる。
また、個々のパッケージを縦横自由に連結することができるので、飾り棚も必要ない。従って、飾り用のケースや棚を購入する費用が掛からない。
しかも、複数のパッケージを縦横任意の数だけ連結することができるので、飾り方の自由度も増して、マニアなど購入者の満足度が上がる。
【００３６】
特に、第２の発明によれば、車玩具用のパッケージとして利用する際に、長期間保管しておいても、タイヤが変形したり、パッケージに接着してしまったりすることがない。従って、安心して、車玩具を飾っておくことができる。
【図面の簡単な説明】
【図１】第１実施例のパッケージを開いた状態の斜視図である。
【図２】第１実施例のパッケージを閉じた状態の外観図である。
【図３】第１実施例のパッケージにミニカーを入れた状態の図である。
【図４】第１実施例のパッケージを複数連結した図である。
【図５】第１実施例の連結方法を説明するための図である。
【図６】図３のＶＩ−ＶＩ線断面図である。
【図７】第２実施例の連結方法を示した図である。
【図８】第３実施例の連結方法を示した図である。
【図９】第４実施例の連結方法を示した図である。
【図１０】第５実施例の連結方法を示した図である。
【符号の説明】
１　　　　収納部
２　　　　合わせ部
３　　　　折り曲げ部
３ａ　　　底面
５　　　　収納部側顎部
７　　　　合わせ部側顎部
８　　　　支持突部
９　　　　ボディ底面
【図１】
2004051210.tif 000003
【図２】
2004051210.tif 000004
【図３】
2004051210.tif 000005
【図４】
2004051210.tif 000006
【図５】
2004051210.tif 000007
【図６】
2004051210.tif 000008
【図７】
2004051210.tif 000009
【図８】
2004051210.tif 000010
【図９】
2004051210.tif 000011
【図１０】
2004051210.tif 000012